(57)【要約】  【課題】自立可能な杖であって、荷重をかけた時に折れ曲ったり、座屈したりすることのない杖を提供する。  【解決手段】杖本体部２の先端部４は、剛性のある接地脚５によって傾き自由に保持されている。その接地脚５に対し杖本体部２はスプリング１３によって常時垂直に保持されている。杖から手を離しても杖は接地脚５で自立する。そしてスプリング１３によって杖本体部２は垂直に姿勢保持される。そして歩行時、接地脚５に対して杖本体部２を自由に傾けることができる。【選択図】図１
2006102054.tif 000002
【特許請求の範囲】
【請求項１】
杖本体部２の上部に握り部３が設けられていると共に先端部４に接地脚５が設けられ、上記接地脚５を接地したまま杖本体部２を傾かせることができるようにした自立可能な杖に於いて、上記接地脚５は本体部６の下部に接地端面８が形成されていると共に頂面１０に通し穴７が形成されて成り、上記の通し穴７に杖本体部２を傾き可能に且つ先端部４が非接地となるように通し、この通した態様で上記先端部４に非接地態様で取り付けられたスプリング受け１４によって保持されたスプリング１３の付勢力によって上記接地脚５を、常時その頂面１０が杖本体部２に設けられたストッパー１１に押し付けられるように保持したことを特徴とする自立可能な杖。
【請求項２】
杖本体部２の上部に握り部３が設けられていると共に先端部４に接地脚５が設けられ、上記接地脚５を接地したまま杖本体部２を傾かせることができるようにした自立可能な杖に於いて、上記接地脚５は本体部６の下部に接地端面８が形成されていると共に頂面１０に通し穴７が形成されて成り、上記の通し穴７に杖本体部２を傾き可能に且つ先端部４が非接地となるように通し、接地脚５の裏面１６側から受け１４を非接地態様で杖本体部２に取付け杖本体部２を接地脚５に対し傾き自在に取付け、その状態で杖本体部２に設けたストッパー１１と接地脚５の頂面１０の間にスプリング１３を装着し、接地脚５を常時受け１４の受け面１７に押し付けて保持するようにしたことを特徴とする自立可能な杖。
【発明の詳細な説明】
【技術分野】
【０００１】
本発明は身体の荷重を支え、歩行を補助する杖に係わり、更に詳しくは自立可能な杖の改良に関する。
【背景技術】
【０００２】
周知の通り、杖は老人や身体障害者に使用されている。そしてこの杖は、一般的には棒状の杖本体部の上部に握り部が設けられ、下方の先端部が接地部となっているシンプルな形状であるから、使用者が杖から手を離すと、杖は地面、路面、床面に倒れてしまう。つまり自立不能な形状である。従ってこのような場合、使用者が杖を起こして拾うのが大変であった。又待合室等で椅子に座って時間を過ごしている時等、杖は自立できないから斜めに立てかけたりすることが多いが、このような場合人の往来の傷害になり、危険であった。
【０００３】
そこで、自立可能な杖に関する考案が提案されるに至った。
その１は、細長状の本体フレームの先端部に、横方への張出し姿勢と本体フレームに沿った収納姿勢との切換え操作を可能としたスタンド手段を設け、スタンド手段は前記横方への張出し姿勢となされたとき本体フレームを起立状に支持し、杖を使う時には本体フレームのスリット内にスタンドを収容するようにした杖である。（特許文献１）
その２は、杖軸の上端に把手と下端に接地部を備えた杖において、中空の杖軸の下部側面に軸方向に３個以上の長方形のスリットと該スリット内に可動部と固定部を設け、補助脚の端部を可動部と、補助脚の中間部を連結部材を介して固定部に回動できるように装着し、可動部と固定部の間にコイルばねと、可動部と杖軸の上部に設ける係止部との間にワイヤを装着することより構成した自立杖も提案されている。（特許文献２）
その３は、杖本体の基部に防振ゴム等のフレキシブルジョイントを介して接地部を連結し、この接地部が杖本体を垂直状態に保持できる程度の大きさを有するとともに、接地部と杖本体との相対角度を上記フレキシブルジョイントによって変えられるようにした杖も提案されている。（特許文献３）
添付図面図４はこの従来技術を説明する為の図で、図４図中Ａは杖本体、Ｂは接地部をもつ部分、Ｃは防振ゴム等のフレキシブルジョイント、Ｄ、Ｅは各々杖本体ＡにフレキシブルジョイントＣを結合させるネジ、Ｅは接地部ＢとフレキシブルジョイントＣを結合させるネジを示している。
【０００４】
【特許文献１】登録実用新案公報第３０４７００４号
【特許文献２】登録実用新案公報第３０５４３１６号
【特許文献３】特開２００３−１５３７１６
【発明の開示】
【発明が解決しようとする課題】
【０００５】
これら従来技術は杖から手を離しても杖を自立できるが、上記その１、その２の従来技術の場合、スタンド又は補助脚が、スリット内に出入可能な構成なので部品点数が大であったり、組立工数が多かったり、又は開閉して動くので故障因子も多く、これらの点で改善すべき余地があり、特に、杖を用いて歩行する時に杖本体をスタンド又は補助脚に対し自由に動かすことができないので、そのスタンド又は補助脚を出したままでは使用できずスタンド又は補助脚をスリット内に収容しなければならなかった。つまり杖の自立時と杖を用いての歩行時に一々スタンド又は補助脚を開閉せねばならず手間がかかった。
加えてスリットを杖本体に形成するので体重のかかる杖の強度を弱め安全性に難点もあった。
【０００６】
この点その３の従来技術は、杖を自立できる上に、そのままで接地部Ｂに対し杖本体Ａを自由に動かせるので、杖を用いた歩行時、杖本体Ａを歩行のステップに合せて斜めにすることができ、使い易い利点がある。しかしながら、杖本体Ａの先端は接地しておらず、接地している接地部Ｂとの間に防振ゴム等のフレキシブルジョイントＣが介在しているのみなので、体重の掛け具合によってはフレキシブルジョイントＣが座屈したりして危険である。つまりフレキシブルジョイントＣは、その機能が杖本体Ａを自由に動かす為であるから本来柔軟なものである。
これが為に、設定以上の大きな荷重をかけたり、荷重の掛け方向を誤まるとフレキシブルジョイントＣが座屈したりして、杖本体がフレキシブルジョイントＣの所で折れ曲がる等杖本来の機能や安全性が阻害されるおそれがある。
【０００７】
本発明は、このような点に鑑み成されたもので、その目的とするところは、杖から手を離しても自立可能な杖を提供するのは勿論のこと、可動部が少なく、又部品点数や組付け工数も少で故障因子が少ない自立可能な杖を提供するにあり、特に杖を用いての歩行時、何等開閉等することなく、そのままで人の歩行ステップに応じて自由に杖本体を接地脚に対し斜めに動かすことができて使い易い自立可能な杖を提供するにあり、加えて体重の掛け具合によって杖本体が曲ったりするおそれの少ない安全性に勝れた自立可能な杖を提供するにある。
【課題を解決するための手段】
【０００８】
上記目的を達成する為に、本発明は次の手段を有する。即ち、発明を実施するための最良の形態で示した例に符した符号を用いて説明すると、請求項１の発明は、杖本体部２の上部に握り部３が設けられていると共に先端部４に接地脚５が設けられ、上記接地脚５を接地したまま杖本体部２を傾かせることができるようにした自立可能な杖に於いて、上記接地脚５は本体部６の下部に接地端面８が形成されていると共に頂面１０に通し穴７が形成されて成り、上記の通し穴７に杖本体部２を傾き可能に且つ先端部４が非接地となるように通し、この通した態様で上記先端部４に非接地態様で取り付けられたスプリング受け１４によって保持されたスプリング１３の付勢力によって上記接地脚５を、常時その頂面１０が杖本体部２に設けられたストッパー１１に押し付けられるように保持したことを特徴とする自立可能な杖である。
【０００９】
そして請求項２の発明は、杖本体部２の上部に握り部３が設けられていると共に先端部４に接地脚５が設けられ、上記接地脚５を接地したまま杖本体部２を傾かせることができるようにした自立可能な杖に於いて、上記接地脚５は本体部６の下部に接地端面８が形成されていると共に頂面１０に通し穴７が形成されて成り、上記の通し穴７に杖本体部２を傾き可能に且つ先端部４が非接地となるように通し、接地脚５の裏面１６側から受け１４を非接地態様で杖本体部２に取付け杖本体部２を接地脚５に対し傾き自在に取付け、その状態で杖本体部２に設けたストッパー１１と接地脚５の頂面１０の間にスプリング１３を装着し、接地脚５を常時受け１４の受け面１７に押し付けて保持するようにしたことを特徴とする自立可能な杖である。
【発明の効果】
【００１０】
上記請求項１及び２記載の発明によれば、杖１から手を離せば杖本体部２は接地脚５によって自立している。そしてスプリング１３によって垂直に保持されている。従って地面に杖が倒れることもない。
この杖１を用いて歩行する時、握り部３をもって杖本体部２を傾ければ、杖本体部２は接地脚５に対し自在に傾けることができ、而もスプリング１３によって垂直位置へ戻る復帰力が与えられているから、外力を解いても不用意に杖本体部２は倒れない。従って接地脚５を接地し、前へ歩行する時に杖を傾けて次の動作に入るが、その歩行ステップがとり易い。
特に、杖本体部２はストッパー１１を介在させて接地脚５に支えられていて、つまり杖本体部２は剛体の接地脚５に保持されているので、逆に言えばフレキシブルなスプリング１３によってジョイントされているのみではないから、荷重のかけ方に係わらず杖本体部２が不用意に途中で曲がったりすることもない。従って安全である。
【発明を実施するための最良の形態】
【００１１】
次に添付図面図１、図２に従い本発明の第一の実施例を詳細に説明する。
図中１は杖を示し、棒状の杖本体部２の上部には握り部３が形成されていると共に、下部に接地脚５が設けられている。
この杖本体部２はこの実施例では単一のものとして示してあるが、二本以上を伸縮自在に連結したものでもよい。
【００１２】
さて、上記接地脚５はカップ状の形状を呈する本体部６を有し、その下部が接地端面８として、平坦でフランジ状に外方へ張り出した形状で形成されている。
そして、この例では滑り防止ゴム９が取り付けられている。
そしてカップ状の形状をした本体部６の頂面１０の中央には通し穴７が形成され、そこに杖本体部２の先端部４が通される。即ち、杖本体部２の先端部４の外径よりも、通し穴７の孔径の方が若干大きく設定され、杖本体部２が接地脚５に対し自在に傾けるようになっている。
【００１３】
そして、接地脚５と杖本体２の取り付けは次のように成されている。
先ず接地脚５の通し穴７に通された杖本体部２は、この杖本体部２に取り付けられているストッパー１１が、接地脚５の頂面１０に当接する迄挿入される。その状態で先端部４側からスプリング１３を杖本体部２の周りに装着する。そして先端部４にスプリング受け１４を取り付け、スプリング１３をスプリング受け１４の受け面１７と接地脚５の頂面１０の裏面１６との間に介在させる。このスプリング１３は接地脚５の頂面１０をストッパー１１に押し付ける作用をも、杖本体部２を垂直に保つようにする。
【００１４】
上記ストッパー１１も、スプリング受け１４も各々杖本体部２に対しかしめ部１２、１５によって強固に、緩むことなく結合されている。
【００１５】
而して、スプリング受け１４は、その底面１８が接地しないように路面に対して僅かな間隙Ｓを存して杖本体部２の先端部４に取り付けられる。
符号Ｓは底面１８と接地端面８（滑り防止ゴム９）との間隙を示している。
【００１６】
上記によると、杖１から人が手を離しても、杖１は図１のように自立する。つまり、スプリング１３が接地脚５の頂面１０をストッパー１１に押しつけるので、ストッパー１１が図１のように正立姿勢を保つから、杖本体部２が垂直に姿勢保持される。勿論、スプリング受け１４もスプリング１３によって図１のように正立姿勢を保つから、杖本体部２が垂直に姿勢保持される。その結果、接地脚５によって杖は自立される。
従って、杖から手を離しても杖が路面等に倒れることもない。このことにより待合室等で椅子に座って待っている時等に杖をひざ元に自立させておくことができ、他の人の歩行傷害にならない。
【００１７】
この自立を可能にするにあたり、従来技術のようにスタンド等が開閉したりすることもないので、大きく動く部分がないから故障因子が小で耐久性がある。
特に接地脚５をカップ状に形成したので剛性が高い。そしてカップ状なので、平坦な接地端面８が円形リングのようになり、フレーム状のスタンド等と比べて接地面積が大で、接地した際の安定性がよい。
【００１８】
とりわけ、杖を用いて歩行する時に、接地脚５を地面に接地した態様のままで、杖を始め歩行方向に向って後方斜めに（図２の点線図示から実線図示のように）、次いで歩進して歩行方向に向って前方斜めに（図２の一点鎖線図示のように）自由に動かすことができる。これは接地脚５に対して杖本体部２が傾き自由に取り付けているからである。
従って歩行がし易い。
而も、スプリング１３が杖本体部２を垂直姿勢に保持しようとするので、杖を傾けた時に、不測に傾かず、手の動きに自然に応じて傾くと共に杖に対する荷重を解いた時、杖は倒れることなく元の垂直位置に戻る。従って扱い易く安全である。
【００１９】
上記の場合、杖本体部２は、スプリング１３によってのみ保持されているものではない。基本的には杖本体部２は、剛性のあるカップ状の接地脚５に支えられている。従って杖に対する荷重のかけ具合を誤ったり、杖に大きな荷重をかけても杖本体部２が座屈したり、折れ曲がることもなく安全である。
【００２０】
次に図３の第２の実施例を詳細に説明する。この実施例の場合は、スプリング受け１４を、単に受け１４とし、スプリング１３をストッパー１１とカップ状の接地脚５の頂面１０の間に介在させ、上記スプリング１３によって接地脚５の裏面１６を受け１４の受け面１７に常時押し付けるようにしたもので、他の部分は実施例１と同一である。
この実施例の場合も、杖は自立でき、歩行時、接地脚５に対して杖本体部２を傾けることができる。
そして、杖本体部２は、受け１４上に座している、剛性のある接地脚５に保持されていて、スプリングのみで保持されているわけではないから杖本体部２が途中のフレキシブル部分を有さず座屈したり、折れ曲がることもない。
【００２１】
上記実施例１、２共に、既存の杖にスリットを形成したり、途中で切断してフレキシブルジョイントをつけたりするものではなく、既存の杖そのままの状態で先端部４からストッパー１１を通し、それをかしめ止めし、接地脚５とスプリング１３を先端部４から通し、先端部４にスプリング受け１４をかしめ止めするだけで自立可能な杖として出来上がるので、既存の杖に容易に適用できる利点がある。
【図面の簡単な説明】
【００２２】
【図１】本発明の第一の実施例に係る、一部拡大断面図を関連させて示した杖の正面図である。
【図２】図１に示した本発明の第一の実施例に係る、一部拡大断面図を関連させて示した杖の使用説明図である。
【図３】本発明の第二の実施例に係る、杖の要部断面図である。
【図４】従来技術に係る杖の要部断面図である。
【符号の説明】
【００２３】
１      杖
２      杖本体部
３      握り部
４      先端部
５      接地脚
６      接地脚の本体部
７      通し穴
８      接地端面
９      滑り防止ゴム
１０    頂面
１１    ストッパー
１２    かしめ部材
１３    スプリング
１４    スプリング受け
１５    かしめ部材
１６    裏面
１７    受け面
１８    底面
Ｓ      底面１８と接地端面８（滑り防止ゴム））との間隙
【図１】
2006102054.tif 000003
【図２】
2006102054.tif 000004
【図３】
2006102054.tif 000005
【図４】
2006102054.tif 000006